(57)【特許請求の範囲】
【請求項１】
板紙あるいは板紙を中心とする積層体を用いて形成された上部方向に拡がるテーパー状の第一側面、前面、第二側面、後面からなる４角柱の胴部を有するカートンであって、前記第一側面、前面、第二側面の上辺近傍に、前記後面を残して胴部の周方向に帯状の切り取り部が設けられ、残された前記後面をヒンジ部とし該ヒンジ部に舌状の差し込み片を設け、該差し込み片を差し込む差し込み口を前記後面の下部分に設け、前記切り取り部を切り取ることによって、前記胴部が前記ヒンジ部で連結された上部の蓋部と下部の本体部とに分割され、前記ヒンジ部を外側に折り曲げると共に前記差し込み片を前記差し込み口に差し込むことにより、前記蓋部が前記本体部に一辺で固定されヒンジ機能を有した蓋部となり、前記蓋部を前記本体部に被せることができることを特徴とするヒンジリッド型テーパーカートン。
【発明の詳細な説明】
【０００１】
【産業上の利用分野】
本発明は、テーパー状のカートンを一部を残して胴部を分割し、かつ連結した上部をヒンジリッドの蓋として使用できる形態のカートンに関するものである。
【０００２】
【従来の技術】
従来より、カートンに収納された内容物を取り出すために、ジッパーなどを設けて一部を切り取り、取り出す形態は、種々の形態のカートンが発明、考案されている。また、蓋を有するカートンもヒンジリッドカートンの例をはじめとして種々の形態のカートンが発明、考案されている。また、特開平１１−３２１８５６号公報において、テーパー状のカートンを胴部で分割し、かつ上部を蓋として使用できる形態の蓋一体型テーパーカートンが開示されている。
【０００３】
【発明が解決しようとする課題】
しかしながら、従来のジッパーなどで切り取るだけのでは、内容物を取り出すだけで蓋の機能を持っていない。また、蓋の機能を持たせるためには、カートンの形態が複雑となり、製造コストが高くなるという問題がある。また、特開平１１−３２１８５６号公報において開示された蓋一体型テーパーカートンでは、上部分が蓋の機能を持っているが、上部分の蓋部が本体部と別となっていることから、使用上リクローズの点で不十分である。
【０００４】
本発明は、前述の問題点に鑑みてなされたもので、内容物を取り出すために、切り取り手段により切り取り部を設け、その切り取り部を切り取ることによって、カートンの胴部をヒンジ部である一部を残して分割することにより開封ができ、かつ、そのヒンジ部で連結した上部をヒンジリッドの蓋部として下部の本体部に被せることができる形態のヒンジリッド型テーパーカートンを提供するものである。
【０００５】
【課題を解決するための手段】
前記課題を解決するためになされた本発明は、板紙あるいは板紙を中心とする積層体を用いて形成された上部方向に拡がるテーパー状の第一側面、前面、第二側面、後面からなる４角柱の胴部を有するカートンであって、前記第一側面、前面、第二側面の上辺近傍に、前記後面を残して胴部の周方向に帯状の切り取り部が設けられ、残された前記後面をヒンジ部とし該ヒンジ部に舌状の差し込み片を設け、該差し込み片を差し込む差し込み口を前記後面の下部分に設け、前記切り取り部を切り取ることによって、前記胴部が前記ヒンジ部で連結された上部の蓋部と下部の本体部とに分割され、前記ヒンジ部を外側に折り曲げると共に前記差し込み片を前記差し込み口に差し込むことにより、前記蓋部が前記本体部に一辺で固定されヒンジ機能を有した蓋部となり、前記蓋部を前記本体部に被せることができることを特徴とするヒンジリッド型テーパーカートンを要旨とする。
【０００６】
本発明によれば、内容物を取り出すために、切り取り手段により切り取り部を設け、その切り取り部を切り取ることによって、カートンの胴部をヒンジ部である一部を残して分割することにより開封ができ、かつ、その分割した上部を蓋として下部に被せることができる形態で、簡単な形態であることから、材料コスト、製造コストがかからないヒンジリッド型テーパーカートンを得ることが出来る。
【０００７】
【発明の実施の形態】
以下図面に基づいて本発明によるヒンジリッド型テーパーカートンを詳細に説明する。
【０００８】
本発明によるヒンジリッド型テーパーカートンは、天面と底面が糊貼りで形成されるシールエンドカートン形式でも差し込みベロのあるタックカートン形式でもよいが、以下シールエンドカートンについて説明する。
【０００９】
図１は、本発明によるヒンジリッド型テーパーカートンの一実施例の斜視図である。図１−ａは、本発明によるヒンジリッド型テーパーカートンＡを前方向から見た斜視図であり、図１−ｂは、本発明によるヒンジリッド型テーパーカートンＡを後方向から見た斜視図であり、図１−ｃは、本発明によるヒンジリッド型テーパーカートンＡにおいて蓋部Ｃと本体部Ｂとに分割した状態を示す斜視図であり、図１−ｄは、本発明によるヒンジリッド型テーパーカートンＡにおいて蓋部Ｃを本体部Ｂに被せた状態を示す斜視図である。
【００１０】
本発明によるヒンジリッド型テーパーカートンＡは、開封前の外観では、図１−ａ、ｂに示すように、第一側面１１、前面１２、第二側面１３、後面１４、天面１６、底面１７からなる上部方向に拡がるテーパー状の４角柱である。そして、第一側面１１、前面１２、第二側面１３、後面１４の形状は、上辺が下辺より長い台形であり、天面１６、底面１７は正方形あるいは長方形である。また、第一側面１１、前面１２、第二側面１３の上辺近傍に、後面１４を残して胴部の周方向に切り取り手段Ｙによる帯状の切り取り部Ｘを設けている。
【００１１】
この帯状の切り取り部Ｘを取り除くことによって、図１−ｃに示すように、残された後面１４のヒンジ部１４ａで連結した上部の蓋部Ｃと下部の本体部Ｂとに分割される。そして、後面１４のヒンジ部１４ａを外側に折り曲げ、ヒンジ部１４ａに設けた差し込み片１４ｂを後面１４の下部分に設けた差し込み口１４ｃに差し込むことによって、蓋部Ｃが後面１４に固定されることによって、蓋部Ｃが本体部Ｂの上縁に嵌合し、図１−ｄに示すように、リクローズ可能な形態となる。
【００１２】
図２は、本発明によるヒンジリッド型テーパーカートンＡのブランクの展開図である。ブランク１０は、第一側面１１、前面１２、第二側面１３、後面１４、糊代片１５がこの順に折れ線ａ、ｂ、ｃ、ｄを介して連接され、第一側面１１、前面１２、第二側面１３、後面１４の上辺にはそれぞれ折れ線ｅ、ｆ、ｇ、ｈを介して天折り込み片１６ａ、天フラップ１６ｂ、天折り込み片１６ｃ、天下フラップ１６ｄが、下辺にはそれぞれ折れ線ｉ、ｊ、ｋ、ｌを介して底折り込み片１７ａ、底フラップ１７ｂ、底折り込み片１７ｃ、底下フラップ１７ｄが連接されている。そして、第一側面１１、前面１２、第二側面１３、後面１４のそれぞれの形状は、天折り込み片１６ａ、天フラップ１６ｂ、天折り込み片１６ｃ、天下フラップ１６ｄと隣接する上辺が、各々対応する底折り込み片１７ａ、底フラップ１７ｂ、底折り込み片１７ｃ、底下フラップ１７ｄと隣接する下辺より長い台形である。また、天面１６を形成する天フラップ１６ｂ、天下フラップ１６ｄ、および底面１７を形成する底フラップ１７ｂ、底下フラップ１７ｄは、正方形あるいは長方形に近い形状であり、天面１６の大きさが底面１７の大きさより大きく設定する。
【００１３】
第一側面１１、前面１２、第二側面１３の上辺近傍には、各面の上辺に平行に周方向に、テーパー状の胴部の周方向に後面１４のヒンジ部１４ａを残して切り取り手段Ｙによって帯状の切り取り部Ｘを設けているが、この切り取り部Ｘの幅ｘは、３〜２０ｍｍの範囲が好ましい。切り取り部Ｘの幅ｘが３ｍｍ未満の場合には、蓋部Ｃの開口部の大きさと本体部Ｂと開口部の大きさとの差が少なく、蓋部Ｃを本体部Ｂに嵌合することが難しくなる。一方、２０ｍｍを超える場合には、開封前の状態で内容物に対する空間率が高くなると共に、嵌合が緩くなりすぎる。また、切り取り部Ｘの幅ｘは、胴部における切り取り部Ｘより上の部分の幅ｚ(つまり、蓋部Ｃの深さとなる幅）より小さいことが必要である。逆に、切り取り部Ｘの幅ｘが、切り取り部Ｘより上の部分の幅ｚより大きいと、蓋部Ｃが本体部Ｂに被せることができなくなる。
【００１４】
また、切り取り部Ｘは、本実施例の図に示すように、左右の先端において後面１４のヒンジ部１４ａに延長して半円形などの摘み部Ｘａを設けることが好ましい。この摘み部Ｘａを設けることによって、切り取り部Ｘを切り取る取っ掛かりとなり、切り取りやすくなる。
【００１５】
この切り取り手段Ｙとしては、いくつかの方法があるが、図２のヒンジリッド型テーパーカートンＡでは、ミシン目による方法を示している。この切り取り手段Ｙは特に限定されるものではなく、一般的なＬ字形あるいはＩ字形の切り込みなどでよい。
【００１６】
切り取り部Ｘにおいて、前面１２と第一側面との折れ線ａおよび前面１２と第二側面との折れ線ｂの線上部分を凸状にする形状とすることが好ましい。この切り取り部Ｘを凸状にすることにより、切り取り部Ｘが切り取られた後、図３に示すように、本体部Ｂの前面１２の上縁を内側に折り曲げることができ、蓋部Ｃを容易に被せることができる。
【００１７】
また、後面１４のヒンジ部１４ａには、切り込みにより舌状の差し込み片１４ｂを設け、その差し込み片１４ｂを差し込む差し込み口１４ｃを後面１４の下部分に設けている。
【００１８】
図４は、以上のような構成からなるブランク１０から本発明によるヒンジリッド型テーパーカートンＡを形成する過程を説明する図である。まず、図４−ａに示すように、ブランク１０を折れ線ｃで第二側面１４を内側に折り込み、折れ線ａで第一側面１１を内側に折り込み、糊代片１５と第一側面の裏面とを貼り合わせることによって、図４−ｂに示すように、フラットな状態の折り畳まれたカートンが形成され、その状態でユーザーへ供給される。ユーザーはこの折り畳まれたフラットなカートンを起こしてテーパーのある筒状として、図４−ｃに示すように、天面１６あるいは底面１７のいずれか一方を形成してから内容物を充填し、他方を形成すればよい。この場合に、天面１６は、天折り込み片１６ａ、１６ｃを折り込み、最後に天下フラップ１６ｄ、天フラップ１６ｂを折り込んで貼り合わせることにより完成される。
【００１９】
つぎに、図５において、本発明によるヒンジリッド型テーパーカートンＡの開封および再封について説明する。
【００２０】
まず、開封については、図５−ａに示すように、帯状の切り取り部Ｘの一方の先端の摘み部Ｘａを摘まみ、第一側面１１、前面１２、第二側面１３に渡って胴部を水平に引き裂き、図５−ｂに示すように、上部の蓋部Ｃと、下部の本体部Ｂとにヒンジ部１４ａを残して分割することによって、開封が行われる。
【００２１】
つぎに、再封については、図５−ｃ、ｄに示すように、後面１４のヒンジ部１４ａを後方に折り曲げて、差し込み片１４ｂを差し込み口１４ｃに差し込むことにより、蓋部Ｃが本体部Ｂに一辺で固定され、ヒンジ機能を有した蓋部Ｃとなり、再封が容易となる。
【００２２】
すなわち、本発明によるヒンジリッド型テーパーカートンＡでは、胴部が上部方向に拡がったテーパー状となっているため、分割した後、上部の蓋部Ｃの開口部の大きさが、下部の本体部Ｂの開口部の大きさより大きくなり、上部の蓋部Ｃが、容易に、図５−ｅ、ｆに示すように、下部の本体部Ｂに被さり、蓋としての機能を果たすことができ、再封が可能となる。
【００２３】
【発明の効果】
本発明によれば、内容物を取り出すために、切り取り手段によりある幅を有する切り取り部を一部を残して切り取り、カートンを胴部で分割することにより開封し、かつ、その分割した上部を蓋として下部の本体部に被せることができる形態で、簡単な形態であることから、開封が簡単であり、胴部がテーパー状であることから、蓋部の開口部が本体部の開口部より大きくなり、容易に蓋部を本体部に被せることができる。また、一面をヒンジ部として残し、ヒンジ部に設けた差し込み片を後面に差し込むことによって、ヒンジリッド型の蓋部となり、再封が容易となる。さらに、材料コスト、製造コストがかからないヒンジリッド型テーパーカートンを得ることが出来る。
【図面の簡単な説明】
【図１】本発明のヒンジリッド型テーパーカートンの一実施例を示す斜視図である。
【図２】本発明のヒンジリッド型テーパーカートンの一実施例のブランクの展開図である。
【図３】本発明のヒンジリッド型テーパーカートンの一実施例を部分断面図である。
【図４】本発明のヒンジリッド型テーパーカートンの一実施例を形成する過程を説明する図である。
【図５】本発明のヒンジリッド型テーパーカートンの一実施例の開封および再封を説明する図である。
【符号の説明】
Ａ    ヒンジリッド型テーパーカートン
Ｂ    本体部
Ｃ    蓋部
Ｘ    切り取り部
Ｘａ  摘み部（切り取り部）
Ｙ    切り取り手段
１０    ブランク
１１    第一側面
１２    前面
１３    第二側面
１４    後面
１４ａ  ヒンジ部
１４ｂ  差し込み片
１４ｃ  差し込み口
１５    糊代片
１６    天面
１６ａ  天折り込み片
１６ｂ  天フラップ
１６ｃ  天折り込み片
１６ｄ  天下フラップ
１７    底面
１７ａ  底折り込み片
１７ｂ  底フラップ
１７ｃ  底折り込み片
１７ｄ  底下フラップ
ａ〜ｌ折れ線
【図１】
0004531232.tif 000002
【図２】
0004531232.tif 000003
【図３】
0004531232.tif 000004
【図４】
0004531232.tif 000005
【図５】
0004531232.tif 000006